(57)【要約】      （修正有）【課題】  電力消費の大きな携帯用プリンタに使用される２次電池の充電状態を正確に確認できるとともに、正規以外の電池が使用されたときにアラームを出すようにした電池のチェックシスの提供。【解決手段】  携帯用プリンタに使用される２次電池１１に、正規電池の識別情報と、充電回数とが記憶される情報記憶手段１２を設け、充電器と携帯用プリンタに識別情報に基づいて正規電池であるか否かの判別と、電池の充電回数の表示手段を設ける。【選択図】              図１
2006019194.tif 000002
【特許請求の範囲】
【請求項１】
携帯用プリンタに使用される２次電池に、正規電池の識別情報と、充電回数とが記憶される情報記憶手段を設け、
携帯用プリンタには、装着された２次電池の情報記憶手段に記憶された情報を読取る情報読取手段と、該情報読取手段が読取った識別情報に基づいて正規電池であるか否かを判別して正規電池でない場合は警告を表示し、情報読取手段が読取った電池の充電回数を表示する電池情報表示手段を設けたことを特徴とする携帯用プリンタに使用される二次電池の充電と電池のチェックシステム。
【請求項２】
携帯用プリンタに使用される２次電池に、正規電池の識別情報と、充電回数とが記憶される情報記憶手段を設け、
充電器には、２次電池の情報記憶手段に記憶された情報を読取る情報読取手段と、該情報読取手段から読取った情報に基づいて正規電池であるか否かを判別して正規電池でない場合は警告を表示し、情報読取手段が読取った電池の充電回数を表示すると共に、充電終了時に読取った電池の充電回数に1を加えた充電回数を２次電池の情報記憶手段に書き込む情報処理手段を設けたことを特徴とする携帯用プリンタに使用される二次電池の充電と電池のチェックシステム。
【請求項３】
携帯用プリンタに使用される２次電池に、正規電池の識別情報と、充電回数とが記憶される情報記憶手段を設け、
充電器には、２次電池の情報記憶手段に記憶された情報を読取る情報読取手段と、該情報読取手段から読取った情報に基づいて正規電池であるか否かを判別して正規電池でない場合は警告を表示し、情報読取手段が読取った電池の充電回数を表示すると共に、充電終了時に読取った電池の充電回数に1を加えた充電回数を２次電池の情報記憶手段に書き込む情報処理手段を設け、
又、携帯用プリンタには、装着された２次電池の情報記憶手段に記憶された情報を読取る情報読取手段と、該情報読取手段から読取った識別情報に基づいて正規電池であるか否かを判別して正規電池でない場合は警告を表示し、情報読取手段が読取った電池の充電回数を表示する電池情報表示手段を設けたことを特徴とする携帯用プリンタに使用される二次電池の充電と電池のチェックシステム。
【請求項４】
請求項１乃至３において、携帯用プリンタに使用される２次電池の情報記憶手段にＥＥＰＲＯＭを使用することを特徴とする携帯用プリンタに使用される二次電池の充電と電池のチェックシステム。
【請求項５】
請求項１乃至３において、携帯用プリンタに使用される２次電池の情報記憶手段のＥＥＰＲＯＭの領域を複数に分割し、識別情報等の重要な情報は同じ情報を複数の領域に書き込むことを特徴とする携帯用プリンタに使用される二次電池の充電と電池のチェックシステム。
【請求項６】
請求項１乃至３において、携帯用プリンタに使用される２次電池の情報記憶手段のＥＥＰＲＯＭの複数の領域に書き込まれた情報を読み出す場合には、全ての領域の情報を読み出してデータの一致を取ることにより、読み出されたデータの信頼性を向上させることを特徴とする携帯用プリンタに使用される二次電池の充電と電池のチェックシステム。
【請求項７】
請求項１及び３において、充電器には、２次電池の情報記憶手段のデータを読み出すためのメモリ電源を具備することを特徴とする携帯用プリンタに使用される二次電池の充電と電池のチェックシステム。
【請求項８】
請求項２及び３において、携帯用プリンタには、２次電池の情報記憶手段のデータを読み出すためのメモリ電源を具備することを特徴とする携帯用プリンタに使用される二次電池の充電と電池のチェックシステム。
【発明の詳細な説明】
【技術分野】
【０００１】
本発明は、携帯用プリンタに使用される２次電池の充電と電池のチェックシステムに関するものである。
本発明の携帯用プリンタに使用される２次電池の充電と電池のチェックシステムは、電力消費の大きな携帯用プリンタの２次電池が使用の途中で電池切れを起こさないように２次電池の充電状態を正確に確認出来るようにするようにすると共に、正規の電池以外の電池が使用された場合にアラームを出すようにしたものである。
【背景技術】
【０００２】
２次電池は、充電を繰り返すと、電池の容量が減少したり、電池残量がまだあるにも関わらず放電効率が著しく低下するため、電池の容量を正確に知るためには、充電された電池を実質的に放電できる残存容量をチェックしておくことが必要である。
２次電池を必要とする携帯機器に関しては、二次電池の残存容量を表示する装置を備えているものがある。
２次電池の充電容量は、充放電を繰り返すことによって減少し、又、電池のメモリー効果によって減少するので、充電容量の変動は、残存容量の誤差の原因となる。電池の充電容量が少なくなったことを補正しないで、残存容量を表示すると、電池を使用しているときに、まだ多少使用できる状態から、急に全く使用できない完全放電状態になることがある。
このような事態を防止するために、充電器に各電池の充電回数を計数しておき、予め設定した充電回数に達したときには自動的に２次電池を放電させるものが提案されている。
【０００３】
又、充電式機器に電力を供給する電池パックを充電器に接続して充電を行う際に、電池パック側に、残容量検出回路を設けて電池の残容量を放電電流値や充電電流値のデータに基づいて演算により残容量を求め、残容量が所定の範囲を超えるとリフレッシュ処理等を行うようにした充電式機器も提案されている。
しかしながら、上記の従来の電池の残存容量の表示方法では、充電器に、電池のデータを保持し管理する機能を持たせるために充電器が複雑な構成となり、又、充電器を簡易な構成とすると、電池側に残容量検出回路や表示素子を設ける必要があり、電池のコストが嵩むと共に、常時算用量検出手段で残容量を検出しているので、充電中以外のときの消費電力が大きいという課題がある。
更に、このような２次電池の残存容量をあらかじめ表示すようにした機能を備えている充電機器や電池においても、正規の電池以外の電池が使用された場合には正確な残存容量を表示することは不可能である。
【０００４】
【特許文献１】特開平４−１０９８３１号公報、
【特許文献２】特開平７−９９０６９号公報
【特許文献２】特開平７−１４３６８０号公報
【特許文献３】特開平９−１７３６６６号公報，
【特許文献４】特開平１１−２８９６８１号公報，
【発明の開示】
【発明が解決しようとする課題】
【０００５】
携帯用プリンタに使用される２次電池には、充放電回数に制限があり、規定の充放電回数を越えたものは、容量が減少し充電しても電池として使用出来る残存容量が減ってくる。しかし、今までの携帯用プリンタに使用される２次電池には電池の容量がどの程度有るかを記録表示する機能は無く、実際に現場でプリンタに印字をさせた時、予想より早く電池容量が無くなり、作業が中断されて困る事が多かった。
又、携帯用のプリンタに使用される電池に、メーカーが指定した正規の電池以外の電池が使用されることがあり、このような電池を使用したために携帯用プリンタに印字枚数が規定仕様に達しないうちに電池に不具合が発生し印字不能のトラブルが発生することがあるが、電池が正規のものであること識別する機能がないため正規でない電池が使用されてトラブル発生を防ぐ手立てがなかった。
このために、電池及び充電器側に設ける回路部品を必要最小限として、電池と充電器のコストを上げることなく、電池容量が減少して寿命の来た電池を判別し、検針を始め、検針途中で、電池容量が予定外に減り、検針に支障を来たす事を無くし、又正規の電池以外の使用を排除して、検針中に予想外の電池低下などの支障が生じることを防止する携帯用プリンタに使用される二次電池の充電と電池のチェックシステムの実現が求められている。
【課題を解決するための手段】
【０００６】
本発明は、携帯用プリンタに使用される２次電池に、正規電池の識別情報と、充電回数とが記憶される情報記憶手段を設け、充電器には、２次電池の情報記憶手段に記憶された情報を読取る情報読取手段と、該情報読取手段が読取った情報に基づいて正規電池であるか否かを判別して正規電池でない場合は警告を表示し、充電終了時に読取った電池の充電回数に1を加えた充電回数を２次電池の情報記憶手段に書き込む情報処理手段を設け、又、携帯用プリンタには、装着された２次電池の情報記憶手段に記憶された情報を読取る情報読取手段と、該情報読取手段が読取った情報に基づいて正規電池であるか否かを判別して正規電池でない場合は警告を表示し、情報読取手段が読取った電池の充電回数をプリントアウトする手段を設けた携帯用プリンタに使用される二次電池の充電と電池のチェックシステムを実現したものである。
本発明の携帯用プリンタの電池のチェックシステムは、回路部品を必要最小限として蓄電池電源のコストを大きく増やすことなく、電池の正確な残存容量の判定が行えるようにすると共に、充放電回数の制限を越えた電池や正規以外の電池を排除する事が可能になる。
【発明の効果】
【０００７】
本発明の携帯用プリンタに使用される二次電池の充電と電池のチェックシステムを使用することにより、寿命の来た電池と知らずに、検針を始め、検針途中で、電池容量が予定外に減り、実際に現場でプリンタに印字をさせた時、予想より早く電池容量が無くなり、プリント作業が中断されて検針に支障を来たす事が無くなる。
又、正規の電池以外の使用を排除出来る事により、検針中に予想外の電池低下などの  支障を排除出来る。 
【発明を実施するための最良の形態】
【０００８】
以下、本発明の実施の形態を図面に基づいて説明する。
図１は本発明の携帯用プリンタに使用される二次電池の充電と電池のチェックシテムに使用される電池パックの一実施例の概略構成図である。
図１において、１は携帯用プリンタの電源として使用する電池パックである。
１１は電池パック１の２次電池である。２次電池１１には、ニッカド電池、リチュウムイオン電池、鉛蓄電池等の充電可能な２次電池が゛使用される。１２は電池パック１に設けられた情報記憶素子である。情報記憶素子１２は情報の保持に電力を必要としないＥＥＰＲＯＭが使用され、正規電池の識別情報と、充電回数とが記憶される。
情報記憶素子１２のＥＥＰＲＯＭの領域を複数に分割し、識別情報等の重要な情報は同じ情報を複数の領域に書き込んでおき、ＥＥＰＲＯＭの複数の領域に書き込まれた情報を読み出す場合には、全ての領域の情報を読み出してデータの一致を取ることにより、読み出されたデータの信頼性を向上させることが出来る。
１５は電池パック１の電源端子、１６は電池パック１の情報記憶素子１２に情報を読み書きするための電力を供給するメモリ電源端子、１７は情報記憶素子１２の情報を読み書きするための信号端子である。１８は接地端子である。
電池パック１は、携帯用プリンタに装着された時には、電源端子１５より携帯用プリンタに対して電力を供給し、信号端子１７を介して正規電池の識別情報と、充電回数の情報を提供する。
又、電池パック１は、充電器に接続された時には、充電器より電源端子１５を介して充電電流が供給され２次電池１１の充電が行われ、信号端子１７を介して正規電池の識別情報と、充電回数の情報を提供し、充電終了後に充電回数に１が加算されて書き込まれる。
【０００９】
図２は本発明の携帯用プリンタに使用される二次電池の充電と電池のチェックシステムに使用される充電器の一実施の概略構成図である。
図２において、２は図１に示した電池パック１を充電する充電器である。
２１は、電池パック１の２次電池１１を充電する充電回路である。
２２は電池パック１の情報記憶素子１２に動作電力を供給するメモリ用電源、２３は、電池パック１に設けられた情報記憶素子１２の情報の読み出しと書き込みを行う電池情報処理回路である。
２４は、表示器で、情報処理回路２３が読み出した電池パック１に設けられた情報記憶素子１２の情報の表示を行う。
２５は電池パック１の充電を行う充電電源端子、２６は電池パック１の情報記憶素子１２に情報を読み書きするための電力を供給するメモリ電源端子、２７は情報記憶素子１２の情報を読み書きするための信号端子である。２８は接地端子である。
充電器２が電池パック１に接続された時には、充電器２の充電電源端子２５より、電池パック１の電源端子１５に対して電力を供給して充電が行われ、又、信号端子２７を介し電池パック１の信号端子１７より正規電池の識別情報と、充電回数の情報が読み出され、充電終了時には充電情報の書き込みが行われる。
情報記憶素子１２の複数の領域に書き込まれている情報は、全ての領域の情報が読み出されてデータの一致を取ることにより、読み出されたデータの信頼性を向上させている。又、識別情報等の重要な情報は同じ情報を複数の領域に書き込むことによりデータの信頼性を向上させている。
【００１０】
図３は本発明の携帯用プリンタに使用される２次電池の充電と電池のチェックシステムに使用される携帯用プリンタの電源部分の実施形態を示す概略構成図である。
図３において、３は図１に示した電池パック１が接続される携帯用プリンタの電源部分である。
３１は、電池パック１の２次電池１１の電力が供給されるプリンタ回路である。
３２は電池パック１の情報記憶素子１２に動作電力を供給するメモリ用電源、３３は、電池パック１に設けられた情報記憶素子１２の情報の読み出しを行う電池情報読出回路である。情報記憶素子１２の複数の領域に書き込まれている情報は、全ての領域の情報が読み出されてデータの一致を取ることにより、読み出されたデータの信頼性を向上させている。
３４は、表示器で、電池情報読出回路３３が読み出した電池パック１に設けられた情報記憶素子１２の情報の表示を行う。
３５は電池パック１より電力の供給される電源端子、３６は電池パック１の情報記憶素子１２に情報を読み書きするための電力を供給するメモリ電源端子、３７は情報記憶素子１２の情報を読み書きするための信号端子である。３８は接地端子である。
電池パック１が携帯用プリンタに装着された時には、電池パック１電源端子１５より携帯用プリンタの電源端子３５に対して電力が供給されプリンタ回路３１が動作する。又、信号端子３７を介し電池パック１の信号端子１７より正規電池の識別情報と、充電回数の情報が読み出され、その内容が表示機３４に表示される。
【００１１】
上記のような構成の本発明の携帯用プリンタに使用される２次電池の充電と電池のチェックシステムの動作を以下に説明する。
図１に示す本発明の携帯用プリンタに使用される電池パック１を充電する場合は、
電池パック１のコネクタに電源ケーブルを介して、図２に示す、充電器２のコネクタを接続する。
この接続により、電池パック１の電源端子１５に充電器２の充電電源端子２５が接続され、電池パック１のメモリ電源端子１６に充電器２のメモリ電源端子２６が、電池パック１の信号端子１７に充電器２のメモリ電源端子２７が、電池パック１の接地端子１８に充電器２の接地端子２８が夫々接続される。
この結果、充電器２の情報処理回路２３は電池パック１の情報記憶素子１２に記憶されている正規電池の識別情報と、充電回数のデータを読み込んで、
先ず正規電池の識別情報より接続された電池パック１が正規電池であるか否かの判別を行う。情報記憶素子１２の複数の領域に書き込まれている情報は、全ての領域の情報が読み出されてデータの一致を取ることにより、読み出されたデータの信頼性を向上させている。
接続された電池パック１が正規電池でないと判別された場合には、充電器２の表示器２４に正規電池でないことを示すアラームの表示を行い充電作業を中止する。
【００１２】
表示器２４の表示方法としては、読み出された正規電池の識別情報と、充電回数を文字により表示する方法、又は、充電中、充電完了、充電回数オーバーのため充電不可、の３種類の表示ランプを使用した簡易表示の方法が使用される。簡易表示の場合に正規電池でないと判別されたアラームの表示は3種類の表示ランプの点滅により行われる。
接続された電池パック１が正規電池である判別された場合には、充電回数が所定回数以上であるか否かを判定し、所定回数以上である場合には表示器２４に充電回数オーバーのため充電不可の表示を行い充電作業を中止する。
充電回数が所定回数以下である場合には、表示器２４にその充電回数の表示、又は充電中であることを示す表示を行い充電作業が開始される。充電作業は電池パック１の電池１１の種類に応じて最適の充電電流が充電回路２１より供給される。
充電が進み、電池パック１の端子電圧が規定の値に達して充電作業が完了すると、充電器２の情報処理回路２３は電池パック１の情報記憶素子１２に記憶されていた充電回数の数値に１を加えた値を新たな充電回数として情報記憶素子１２に書き込むと共に、この充電作業の完了を表示器２４に表示する。
識別情報等の重要な情報は同じ情報を複数の領域に書き込むことによりデータの信頼性を向上させている。
【００１３】
充電作業の完了が表示器２４に表示されると、電池パック１を充電器２から切り離し、携帯用プリンタ３に装着する。
携帯用プリンタ３は、電池パック１が装着されると、電池パック１の電源端子１５に携帯用プリンタ３の電源端子３５が接続され、電池パック１のメモリ電源端子１６に携帯用プリンタ３のメモリ電源端子３６が、電池パック１の信号端子１７に携帯用プリンタ３のメモリ端子２７が、電池パック１の接地端子１８に携帯用プリンタ３の接地端子３８が夫々接続される。
この結果、携帯用プリンタ３の電池情報処読出回路３３は電池パック１の情報記憶素子１２に記憶されている正規電池の識別情報と、充電回数のデータを読み込んで、先ず正規電池の識別情報より接続された電池パック１が正規電池であるか否かの判別を行う。
情報記憶素子１２の複数の領域に書き込まれている情報は、全ての領域の情報が読み出されてデータの一致を取ることにより、読み出されたデータの信頼性を向上させている。
接続された電池パック１が正規電池でないと判別された場合には、携帯用プリンタ３の表示器３４に正規電池でないことを示すアラームの表示を行う。
【００１４】
表示器３４の表示方法としては、充電器２の表示方法と同様に、読み出された正規電池の識別情報と、充電回数を文字により表示する方法、又は、使用可能、充電必要、充電回数オーバーのため使用不可、の３種類の表示ランプを使用した簡易表示の方法が使用される。簡易表示の場合に正規電池でないと判別されたアラームの表示は３種類の表示ランプの点滅により行われる。
接続された電池パック１が正規電池であると判別された場合には、読み出された充電回数の表示と、使用可能の表示が行われる。
携帯用プリンタ３の使用者は、読み出された充電回数の表示により、装着された電池パック１がどの程度の容量を持ったものかを判別し、作業に必要な容量を持ったものであるか否かの判断を行うことが出来る。
携帯用プリンタ３の電池情報処理回路３３は携帯用プリンタ３の使用中、装着された電池パック１の状態を監視し、残存容量が少なくなると携帯用プリンタ３の動作が不能になる前に充電必要の表示を行い、使用者に電池パック１の交換又は充電の必要を通告する。
【００１５】
以上説明したように、本発明の携帯用プリンタに使用される二次電池の充電と電池のチェックシステムは、携帯用プリンタに使用される２次電池に、正規電池の識別情報と、充電回数とが記憶される情報記憶手段を設け、充電器と携帯用プリンタに識別情報に基づいて正規電池であるか否かの判別と、電池の充電回数の表示手段を設けることにより、電池の正確な残存容量の判定が行えるようにすると共に、充放電回数の制限を越えた電池や正規以外の電池を排除することが出来る。
このため、本発明の携帯用プリンタに使用される二次電池の充電と電池のチェックシステムを使用することにより、寿命の来た電池と知らずに、検針を始め、検針途中で、電池容量が予定外に減り、実際に現場でプリンタに印字をさせた時、予想より早く電池容量が無くなり、プリント作業が中断されて検針に支障を来たす事が無くなる。
又、正規の電池以外の使用を排除出来る事により、検針中に予想外の電池低下などの  支障を排除出来る。 
【産業上の利用可能性】
【００１６】
本発明は電気機器の製造産業や２次電池製造産業で利用可能である。
【図面の簡単な説明】
【００１７】
【図１】本発明の携帯用プリンタに使用される二次電池の充電と電池のチェックシテムに使用される電池パックの一実施例の概略構成図である。
【図２】本発明の携帯用プリンタに使用される二次電池の充電と電池のチェックシテムに使用される充電器の一実施の概略構成図である。。
【図３】本発明の携帯用プリンタに使用される二次電池の充電と電池のチェックシテムに使用される携帯用プリンタの電源部分の実施形態を示す概略構成図である。
【符号の説明】
【００１８】
１・・・携帯用プリンタの電源として使用する電池パック，
１１・・・電池パック1の２次電池，
１２・・・電池パック1に設けられた情報記憶素子，
１５・・・電池パック1の電源端子，
１６・・・電池パック1のメモリ電源端子，
１７・・・電池パック1の信号端子，
１８・・・電池パック1の接地端子，
２・・・電池パック1を充電する充電器，
２１・・・電池パック1の２次電池11を充電する充電回路，
２２・・・電池パック1の情報記憶素子12に動作電力を供給するメモリ用電源，
２３・・・情報記憶素子12の情報の読み出しと書き込みを行う電池情報処理回路，
２４・・・充電器2の表示器，
２５・・・電池パック1の充電を行う充電電源端子，
２６・・・情報記憶素子12に情報を読み書きするための電力を供給するメモリ電源端子，
２７・・・充電器2の信号端子，
２８・・・充電器2の接地端子，
３・・・携帯用プリンタ，
３１・・・電池パック1の２次電池11の電力が供給されるプリンタ回路，
３２・・・情報記憶素子12に動作電力を供給する携帯用プリンタのメモリ用電源，
３３・・・情報記憶素子12の情報の読み出しを行う電池情報読出回路，
３４・・・携帯用プリンタの表示器，
３５・・・電池パック1より電力の供給される携帯用プリンタの電源端子，
３６・・・情報記憶素子12に電力を供給する携帯用プリンタのメモリ電源端子，
３７・・・情報記憶素子12の情報を読み書きするための携帯用プリンタの信号端子，
３８・・・携帯用プリンタの接地端子，
【図１】
2006019194.tif 000003
【図２】
2006019194.tif 000004
【図３】
2006019194.tif 000005